(57)【要約】【課題】特に意識することなく、所定の時間装着した状態で日常の生活を送るだけで顔の筋肉を鍛えて顔の弛みを取ることのできる効果的でズレにくく且つ安価で使い易い美顔用バンドを提供する。【解決手段】上記課題を解決するために、本考案の美顔用バンド１は伸張されたバンド要素７、９、１１の収縮力を利用して顔の弛みを矯正する美顔用の器具に属し、額Ｂから左右のこめかみＣにかけての部分を保持するＵ字状の水平バンド部３と、顎Ｄから左右のこめかみＣ及び頬Ｆを通り頭頂部Ｅから幾分後方寄りの部分を保持するループ状の垂直バンド部５とを備えている。また垂直バンド部５は長さの違う２本のバンド要素９、１１によって構成されており、このうち１本のバンド要素９は他のバンド要素１１より幾分長めに形成されていて、他のバンド要素１１より前方の部位を保持し得るように構成されている。【選択図】        図１
0003113892.tif 000002
【実用新案登録請求の範囲】
【請求項１】
伸張されたバンド要素の収縮力を利用して顔の弛みを矯正する美顔用バンドにおいて、該美顔用バンドは額から左右のこめかみにかけての部分を保持するＵ字状の水平バンド部と、顎から左右のこめかみ及び頬を通り頭頂部から幾分後方寄りの部分を保持するループ状の垂直バンド部とを備えていることを特徴とする美顔用バンド。
【請求項２】
請求項１に記載した美顔用バンドにおいて、前記垂直バンド部は長さの違う２本のバンド要素によって構成されており、このうち１本のバンド要素は他のバンド要素より幾分長めに形成されていて、他のバンド要素より前方の部位を保持し得るように構成されていることを特徴とする美顔用バンド。
【請求項３】
請求項１または２に記載した美顔用バンドにおいて、前記垂直バンド部の上部保持作用面は装着初期の段階では頭頂部に位置し、装着後、後方に引っ張って頭頂部から幾分後方寄りの部分に位置させた状態で使用するようにしたことを特徴とする美顔用バンド。
【請求項４】
請求項１〜３のいずれか１項に記載した美顔用バンドにおいて、前記垂直バンド部の下部保持作用面には顎当てパッドが設けられていることを特徴とする美顔用バンド。
【考案の詳細な説明】
【技術分野】
【０００１】
本考案は、伸張されたバンド要素の収縮力を利用して顔の弛みを矯正する美顔用バンドに関するものである。
【背景技術】
【０００２】
年齢と共に肌の張りがなくなり、顔の弛みや皺、染み等が気になってくる。老若男女問わず、いつまでも綺麗でありたいと願うのは人の心情であり、肌の健康を保つ種々の食品、化粧品、薬品あるいは美顔用の器具等が開発されている。
このうち顔の弛みは顔の筋肉の衰えが大きく関係しており、顔の筋肉を鍛えることが顔の弛みを取る解決策の一つとして知られている。
【０００３】
しかし現代人は忙しく日々の生活に追われる毎日を送っているため、なかなか肌のケアのための時間を作ることは容易ではない。また顔の筋肉を鍛えるトレーニングが大変だったり、毎日長時間トレーニングに費やさなければならなかったりして長続きすることはほとんど不可能である。
また高額な美顔器やマッサージ器等を購入しなければならないとしたら経済的負担も大きくなる。
【考案の開示】
【考案が解決しようとする課題】
【０００４】
本考案は、上記の背景技術及び背景技術が抱えていた問題点の存在を踏まえてなされたものであって、特に意識することなく、所定の時間装着した状態で日常生活を送るだけで顔の筋肉を鍛えて顔の弛みを取ることのできる効果的でズレにくく且つ安価で使い易い美顔用バンドを提供することを課題とするものである。
【課題を解決するための手段】
【０００５】
上記課題を解決するために請求項１に記載した考案は、伸張されたバンド要素の収縮力を利用して顔の弛みを矯正する美顔用バンドにおいて、該美顔用バンドは額から左右のこめかみにかけての部分を保持するＵ字状の水平バンド部と、顎から左右のこめかみ及び頬を通り頭頂部から幾分後方寄りの部分を保持するループ状の垂直バンド部とを備えていることを特徴とする美顔用バンドである。
【０００６】
請求項２に記載した考案は、請求項１に記載した美顔用バンドにおいて、前記垂直バンド部は長さの違う２本のバンド要素によって構成されており、このうち１本のバンド要素は他のバンド要素より幾分長めに形成されていて、他のバンド要素より前方の部位を保持し得るように構成されていることを特徴とする美顔用バンドである。
【０００７】
請求項３に記載した考案は、請求項１または２に記載した美顔用バンドにおいて、前記垂直バンド部の上部保持作用面は装着初期の段階では頭頂部に位置し、装着後、後方に引っ張って頭頂部から幾分後方寄りの部分に位置させた状態で使用するようにしたことを特徴とする美顔用バンドである。
【０００８】
請求項４に記載した考案は、請求項１〜３のいずれか１項に記載した美顔用バンドにおいて、前記垂直バンド部の下部保持作用面には顎当てパッドが設けられていることを特徴とする美顔用バンドである。
【考案の効果】
【０００９】
本考案の美顔用バンドによれば、水平バンド部と垂直バンド部を設けるだけの構成であるから、材料、製品コストの削減を図ることができる。また水平バンド部と垂直バンド部とによる直交する２方向から保持されるため、装着中の位置ズレも生じない。また垂直バンド部の上部保持作用面は頭頂部から幾分後方寄りの部分を保持するように設定されているから、垂直バンド部の引張り力が増強され、顎及び頬の肉が上方に引き上げられる。
【００１０】
また垂直バンド部を２本のバンド要素によって構成した場合には垂直バンド部の引張り力が更に増強され、保持作用面の拡大により保持力も向上する。また垂直バンド部の下部保持面に顎当てパッドを設けた場合には顎に作用する垂直バンド部の引張り力が均一に分散され、装着感が向上する。
【考案を実施するための最良の形態】
【００１１】
本願考案に係る美顔用バンド１は、弾性を有するバンド要素を伸張させる反作用として発生するバンド要素の収縮力を利用して顔の筋肉を引張り、顔の弛みを矯正する美顔用のバンドである。
以下、下記に示す実施の形態１を例に採って、本願考案に係る美顔用バンド１について具体的に説明する。
【００１２】
本考案に係る美顔用バンド１は使用者Ａの額Ｂから左右のこめかみＣにかけての部分を保持するＵ字状の水平バンド部３と、使用者Ａの顎Ｄから左右のこめかみＣ及び頬Ｆを通り頭頂部Ｅから幾分後方寄りの部分を保持するループ状の垂直バンド部５とを備えている。
そして本実施の形態では水平バンド部３は１本のバンド要素７によって構成され、垂直バンド部５は２本のバンド要素９、１１によって構成されている。
【００１３】
これらのバンド要素７、９、１１は共に幅３０ｍｍ程度のゴム製のバンドによって形成されており、当該ゴム製バンドとして長さ方向には伸び縮みするが、幅方向には伸び縮みしないタイプのバンドが使用されている。
またバンド要素７、９、１１の長さは保持作用部の違いにより長さが異なっており、バンド要素７が最も短く約２７０ｍｍ、バンド要素９が最も長く約６００ｍｍ、バンド要素１１が次に長く約５００ｍｍに一例として設定されている。
【００１４】
バンド要素９はバンド要素１１より前方の部位を保持し得るように設けられており、こめかみＣを保持する側部保持作用面１３の位置でバンド要素９の方がバンド要素１１より左右それぞれ５０ｍｍ程度前方に位置している。
頭頂部Ｅの後方を保持する上部保持作用面１５の位置はバンド要素９とバンド要素１１でほぼ同一であり、バンド要素１１が直線的に左右のこめかみＣに向かって延びているのに対してバンド要素９はこめかみＣより幾分前方の左右の頬Ｆに向かって約９０°の角度で屈曲状態に延びている。
【００１５】
顎Ｄを保持する下部保持作用面１７の位置はバンド要素９の方がバンド要素９の幅寸法分、バンド要素１１より前方に位置している。
またバンド要素９とバンド要素１１の下部保持作用面１７には一例として三角形状をした伸縮性のあるメッシュ生地１９を挟んで一例として円形状をした顎当てパッド２１が設けられている。尚、顎当てパッド２１の材料としては適度な弾力性を有し、肌に優しいスポンジ生地等が使用される。
【００１６】
そして上述した水平バンド部３を構成する１本のバンド要素７と、垂直バンド部５を構成する２本のバンド要素９、１１とメッシュ生地１９及び顎当てパッド２１とは一例として縫製加工によって一体化され、立体的な美顔用バンド１となって以下のような手順で装着され使用される。
次に本考案の美顔用バンド１の装着及び使用の手順について説明する。
【００１７】
使用者Ａは最初に図４（ａ）に示すように水平バンド部３の前部保持作用面２３を前方に位置させた状態で顎Ｄに顎当てパッド２１を宛がう。次に使用者Ａは垂直バンド部５の側部保持作用面１３が存する縫合部２５を持って上方に垂直バンド部５を引き延ばすように伸張させて図４（ｂ）に示すように使用者Ａの頭頂部Ｅに垂直バンド部５の上部保持作用面１５を位置させる。
この状態までの段階が装着初期の段階である。次に再度使用者Ａは垂直バンド部５の上部保持作用面１５が存する縫合部２５を持って後方に垂直バンド部５を引っ張り、図４（ｃ）に示すように垂直バンド部５の上部保持作用面１５を頭頂部Ｅから幾分後方寄りの部分に位置させる。
【００１８】
この状態では垂直バンド部５の引張力が更に大きくなるため、垂直バンド部５を構成する２本のバンド要素９、１１により使用者Ａの顎ＤからこめかみＣにかけての肉と頬Ｆの肉が上方に引き上げられる。また垂直バンド部５の伸張に伴って水平バンド部３も後方に引っ張られるようになるため美顔用バンド１の保持力が向上するため、長時間使用したとしても位置ズレは生じない。
そしてこのようにして美顔用バンド１の装着が完了した後は、通常の日常生活を行えばよく、例えばテレビを見ながら、あるいは家事をしながら所定時間、継続的に美顔用バンド１を単に装着するだけで顔の弛みが徐々に矯正されて行く。
【００１９】
以上、本考案を実施するための最良の形態とその一例である実施の形態１について詳述してきたが、具体的な構成は上述した構成に限られるものではなく、本考案の要旨を逸脱しない範囲内の一部構成の変更などがあっても本考案に含まれる。
例えば、バンド要素７、９、１１の材料としては長時間使用してもかぶれ等の生じない通気性が良く伸縮性のある材料が使用可能である。また美顔用バンド１を装着している時の違和感をなくすために、装着していることを感じさせない色合いや素材のバンド要素７、９、１１を採用したり、逆に華やかな色合いや模様の付いたバンド要素７、９、１１とすることで装飾性を付加した美顔用バンド１とすることも可能である。
【００２０】
この他、垂直バンド部５は幅広の１本のバンド要素のみによって構成することも可能であるし、水平バンド部３と垂直バンド部５のそれぞれのバンド要素を幅狭にして使用する本数を増やすことも可能である。またバンド要素を更に細くして紐状にし、ネット状に編んだ水平バンド部３ないし垂直バンド部５とすることも可能である。
【産業上の利用可能性】
【００２１】
本考案は例えば家庭において各個人が気軽に使える美顔用の器具として利用でき、特に意識することなく所定の時間装着した状態で日常の生活を送るだけで顔の筋肉を鍛えて顔の弛みを取ることのできる効果的でズレにくく且つ安価で使い易い美顔用バンドの製造、使用分野等において利用できる。
【図面の簡単な説明】
【００２２】
【図１】本考案の実施の形態１に係る美顔用バンドの使用状態を示す斜視図である。
【図２】本考案の実施の形態１に係る美顔用バンドの使用状態を示す側面図である。
【図３】本考案の実施の形態１に係る美顔用バンドの使用前の状態を示す斜視図である。
【図４】本考案の実施の形態１に係る美顔用バンドの装着手順（ａ）〜（ｃ）を示す側面図である。
【符号の説明】
【００２３】
１  美顔用バンド                    ３  水平バンド部
５  垂直バンド部                    ７  バンド要素
９  バンド要素                    １１  バンド要素
１３  側部保持作用面                １５  上部保持作用面
１７  下部保持作用面                １９  メッシュ生地
２１  顎当てパッド                  ２３  前部保持作用面
２５  縫合部                          Ａ  使用者
Ｂ  額                              Ｃ  こめかみ
Ｄ  顎                              Ｅ  頭頂部
Ｆ  頬
【図１】
0003113892.tif 000003
【図２】
0003113892.tif 000004
【図３】
0003113892.tif 000005
【図４】
0003113892.tif 000006